(57)【要約】【課題】ＩＰ電話をかける際に、間違った電話番号をダイヤルして通話機能を持たないＩＰファクシミリ専用機などの画像通信装置が着信した場合に、発呼側のユーザにその旨を知らせることができる画像通信装置を提供すること。【解決手段】本発明に係る画像通信装置１は、メディアタイプとして音声通話が指定されたＩＮＶＩＴＥを受信した場合に、音声通話用のメディアセッションを確立して、音声通話をすることができない装置が着信した旨のガイダンス情報を発呼側２０Ａへ送信する。【選択図】図３
2006324835.tif 000002
【特許請求の範囲】
【請求項１】
画像データ通信用のメディアセッションの開始要求を受信した場合に、画像データ通信用のメディアセッションを確立して、画像データの通信を行う画像通信装置において、音声通話用のメディアセッションの開始要求を受信した場合に、音声通話用のメディアセッションを確立して、所定の音声情報を発呼側へ送信する音声情報送信手段を備えることを特徴とする画像通信装置。
【請求項２】
前記所定の音声情報は、音声通話をすることができない装置が着信した旨のガイダンス情報であることを特徴とする請求項１記載の画像通信装置。
【発明の詳細な説明】
【技術分野】
【０００１】
本発明は、ＩＰ（Internet  Protocol）網でＳＩＰ（Session  Initiation  Protocol）を利用して画像データの送受信を行う画像通信装置に関し、詳しくは、通話目的の間違い電話を着信した時に、その発呼側ＩＰ電話機に対し、その旨等を知らせる画像通信装置に関する。
【背景技術】
【０００２】
公衆交換電話網（ＰＳＴＮ）において、電話をかける際に間違った電話番号をダイヤルして、ファクシミリ専用機に接続されることがある。この場合、発呼側電話機のユーザは、被呼側ファクシミリ専用機から発信されるファクシミリ特有の信号音（ＣＥＤ信号など）によって、間違った電話番号をダイヤルしたこと、及びダイヤルした電話番号がファクシミリ専用機のものであったことに気付くことができる。
【０００３】
近年、ＩＰ網において、ＳＩＰを利用してメディアセッションを確立した上で音声通話を行うＩＰ電話が普及しており、ＳＩＰを利用してメディアセションを確立した上で画像データを送受信するＩＰファクシミリ通信が多数提案されている（例えば、特許文献１乃至３）。これらＩＰ電話やＩＰファクシミリ通信の場合においても、ＩＰ電話をかける際に、間違った電話番号をダイヤルして、ＩＰ電話機ではなく、通話機能を持たないＩＰファクシミリ専用機に接続されることがある。
【０００４】
【特許文献１】特開２００４−１７２８５３号公報
【特許文献２】特開２００４−２２１９４５号公報
【特許文献３】特開２００４−２６０５３５号公報
【発明の開示】
【発明が解決しようとする課題】
【０００５】
ところが、通話目的でＩＰ電話をかけて、通話機能を持たないＩＰファクシミリ専用機に接続されると、ＩＰファクシミリ専用機はＧ３ファクシミリ装置のような信号音を発しないので、ＩＰ電話をかけた発呼側電話機のユーザは着信後通信状態がどのようになったのかを理解できずに混乱するおそれがある。すなわち、ＩＰ電話をかけてＩＰファクシミリ専用機が着信した場合、当該ＩＰファクシミリ専用機は、信号音を発することなく、無音状態を続けるため、発呼側電話機のユーザは、ＩＰファクシミリ専用機に接続されたことに気付くことなく、相手先の電話機の調子が悪いと思い込んだり、通信状態が悪いなどと勘違いし、間違い電話をかけたことに気付かない場合もある。再度正しい電話番号をダイヤルして電話をかけ直せば、本来の相手先と通話をすることが可能であるが、間違い電話をかけたことに気付かずに、リダイヤル機能を使って、再度同じ電話番号のＩＰファクシミリ専用機に電話をかけるおそれもある。
【０００６】
本発明は、かかる問題に鑑みてなされたものであり、ＩＰ電話をかける際に、間違った電話番号をダイヤルして通話機能を持たないＩＰファクシミリ専用機などの画像通信装置が着信した場合に、発呼側のユーザにその旨を知らせることができる画像通信装置を提供することを目的とする。
【課題を解決するための手段】
【０００７】
上記目的を達成するために、請求項１記載の画像通信装置は、画像データ通信用のメディアセッションの開始要求を受信した場合に、画像データ通信用のメディアセッションを確立して、画像データの通信を行う画像通信装置において、音声通話用のメディアセッションの開始要求を受信した場合に、音声通話用のメディアセッションを確立して、所定の音声情報を発呼側へ送信する音声情報送信手段を備えることを特徴としている。
【０００８】
請求項２記載の画像通信装置は、請求項１記載の画像通信装置において、前記所定の音声情報は、音声通話をすることができない装置が着信した旨のガイダンス情報であることを特徴としている。
【０００９】
前記所定の音声情報は、音声通話をすることができない装置が着信した旨のガイダンス情報のほか、例えば、間違い電話である旨のガイダンス情報などでもよい。また、前記所定の音声情報は、ガイダンス情報ではなく、通話機能を持たない装置が着信したことを発呼側電話機のユーザに気付かせることができるような音声情報、例えば、Ｇ３ファクシミリ装置が着信した際に発する特定の周波数の信号音などであってもよい。
【発明の効果】
【００１０】
本発明に係る画像通信装置によれば、通話目的の間違い電話を着信した場合に、発呼側に所定の音声情報を送信することにより、発呼側のユーザに通話機能を持たない装置が着信したこと等を気付かせることができる。
【発明を実施するための最良の形態】
【００１１】
以下、本発明の実施の形態に係る画像通信装置の一例としてＩＰファクシミリ装置を例に挙げて説明する。図１にＩＰファクシミリ装置１の構成例を示す。ＩＰファクシミリ装置１は、ＣＰＵ（中央処理装置）２、ＲＯＭ（リードオンリーメモリー）３、ＲＡＭ（ランダムアクセスメモリー）４、画像メモリ５、コーデック６、原稿読取部７、記録部８、表示部９、操作部１０及びＬＡＮインタフェース１１を備え、各部２乃至１１はバス１２によって接続されている。
【００１２】
ＣＰＵ２は、ＲＯＭ３に格納された制御プログラムに従って、このＩＰファクシミリ装置１を構成する各部を制御する制御手段として機能する。ＲＡＭ４は、ＣＰＵ２の主メモリ、ワークエリア等として機能する。また、ＲＡＭ４には、後述する所定の音声情報が記憶されている。
【００１３】
画像メモリ５は、コーデック６によって圧縮符号化された受信画像データ等を格納する。コーデック６は、送信する画像データを所定方式に従って圧縮符号化し、また、受信した画像データ等を所定方式に従って復号する。
【００１４】
原稿読取部７は、原稿の画像データを読取るものであり、例えば、ＣＣＤカラーラインセンサ、Ａ／Ｄコンバータ、画像処理回路等で構成される。記録部８は、受信画像データ等を記録紙上に記録する。表示部９は、例えば操作部１０に並設されたＬＣＤ（Ｌｉｑｕｉｄ  Ｃｒｙｓｔａｌ  Ｄｉｓｐｌａｙ）からなり、各種の画面情報を表示する。操作部１０は、テンキー、スタートキー、カーソルキーなど各種の操作キーを備え、ユーザによる各種操作はこの操作部１０において行われる。ＬＡＮインタフェース１１は、ＩＰファクシミリ装置１とＬＡＮ１３とを接続するインターフェースである。
【００１５】
上記構成を備えるＩＰファクシミリ装置１は、ＳＩＰによりメディアセッションを確立した上で音声データ又は画像データの送受信を行う通信機能は備えている。また、ＩＰファクシミリ装置１は、ＳＩＰによりメディアセッションを確立して音声データ、画像データ等を送受信するために必要なプロトコルとして、例えばＲＴＰ（Real-time  Transport  Protocol）、ＳＤＰ（Session  Description  Protocol）なども実装している。但し、このＩＰファクシミリ装置１は、通話機能を持たないＩＰファクシミリ専用機である。
【００１６】
ＩＰファクシミリ装置１は、図１に示すように、同じくＬＡＮ１３に接続されたルータ１５を通じてＩＰ網上にあるＳＩＰに対応したＩＰ電話端末２０ＡやＩＰファクシミリ装置２１とＳＩＰによりメディアセッションを確立して通信をすることができる。また、それ自体ＳＩＰに対応していないＰＳＴＮ上の電話機２０Ｂと、ＩＰ電話事業者のゲートウェイ１６等を通じて（ＩＰ電話事業者が提供するＩＰ電話サービスにより）、ＳＩＰによりメディアセッションを確立して通信することもできる。
【００１７】
以下、ＩＰファクシミリ装置１が、前記ＩＰ電話端末２０Ａ、電話機２０Ｂ、ＩＰファクシミリ装置２１等からメディアセッションの開始要求を受信した場合に、実行する処理動作について、図２のフローチャート及び図３のシーケンス図に基づいて説明する。なお、以下のフローチャートに基づき説明するＩＰファクシミリ装置１の処理動作は、ＲＯＭ３に格納された制御プログラム等に基づいてＣＰＵ２が発行する命令に従って実行される。
【００１８】
ＩＰファクシミリ装置１がメディアセッションの開始要求である「ＩＮＶＩＴＥ」メッセージを受信すると（Ｓ１：ＹＥＳ、Ｔ１）、そのメッセージ内に記述されている情報、例えばＳＤＰヘッダの「ｍ」フィールド、に記述されているメディアタイプに基づいて、発呼側から開始要求されているメディアセッションが音声通話用のメディアセッションか、画像データ通信用のメディアセッションかを判別する（Ｓ２、Ｓ３）。「ＩＮＶＩＴＥ」メッセージ内に記述されているメディアタイプが音声通話を指定するものである場合、例えば「ｍ」フィールドに「ａｕｄｉｏ」などが記述されている場合には、ＩＰファクシミリ装置１は、音声通話用のメディアセッションの開始要求がされていると判別する。一方、「ＩＮＶＩＴＥ」メッセージ内に記述されているメディアタイプが画像データ通信を指定するものである場合、例えば「ｍ」フィールドに「ｆａｘ」などが記述されている場合には、ＩＰファクシミリ装置１は、画像データ通話用のメディアセッションの開始要求がされていると判別する。
【００１９】
Ｓ２において、画像データ通信用のメディアセッションの開始要求がされていると判別された場合（Ｓ２：ＹＥＳ）、ＩＰファクシミリ装置１は、成功応答コード「２００  ＯＫ」を発呼側へ送信し、発呼側（ＩＰファクシミリ装置２１）から最終レスポンスの確認メッセージである「ＡＣＫ」を受信した後、発呼側との間で、画像データ通信用のメディアセッションを確立して（Ｓ３）、画像データの受信処理を行う（Ｓ４）。ＩＰファクシミリ装置１は、データ通信終了後、発呼側からセッションの終了要求である「ＢＹＥ」を受信し、これに対する応答コード「２００  ＯＫ」を発呼側へ送信した後、メディアセッションを切断する（Ｓ５）。
【００２０】
Ｓ２において、画像データ通信用のメディアセッションの開始要求がされていないと判別され（Ｓ２：ＮＯ）、音声通話用のメディアセッションの開始要求がされていると判別された場合（Ｓ６：ＹＥＳ）、ＩＰファクシミリ装置１は、成功応答コード「２００  ＯＫ」を発呼側（ＩＰ電話端末２０Ａ又は電話機２０Ｂ）へ送信し（Ｔ２）、発呼側から最終レスポンスの確認メッセージである「ＡＣＫ」を受信した後（Ｔ３）、発呼側との間で、音声通話用のメディアセッションを確立する（Ｓ７、Ｔ４）。そして、ＩＰファクシミリ装置１は、ＲＡＭ２に格納している所定の音声情報を読み出し、これを確立したメディアセッション上で発呼側へ送信する（Ｓ８）。
【００２１】
前記所定の音声情報は、例えば「この電話番号は、ＩＰファクシミリの電話番号です。音声通話はできません。」など、音声通話をすることができない装置が着信した旨のガイダンス情報などである。その他、前記所定の音声情報は、間違い電話である旨のガイダンス情報などであってもよい。また、前記所定の音声情報は、音声ガイダンスでなくとも、上記した、音声通話をすることができない装置が着信した旨や間違い電話である旨を発呼側のＩＰ電話端末２０Ａ又は電話機２０Ｂのユーザが把握できるような音声情報、例えば、Ｇ３ファクシミリが着信したときに発する特定の周波数の信号音などであってもよい。
【００２２】
Ｓ８の音声情報の送信後、ＩＰファクシミリ装置１が発呼側（電話機）からセッションの終了要求である「ＢＹＥ」を受信すると（Ｔ５）、これに対する応答コード「２００  ＯＫ」を発呼側へ送信して（Ｔ６）、音声通信用のメディアセッションを切断する（Ｓ９）。
【００２３】
一方、Ｓ６において、ＩＰファクシミリ装置１が音声通話用のメディアセッションでもないと判別した場合（Ｓ６：ＮＯ）、例えば受信した「ＩＮＶＩＴＥ」のＳＤＰヘッダの所定フィールドに音声通信を指定する情報（例えば「ａｕｄｉｏ」など）も画像データ通信を指定する情報（例えば「ｆａｘ」など）も記述されていない場合には、所定のＳＩＰエラーコードを返信して、発呼側に対してメディアセッションの開始要求に応じることができない旨を通知する（Ｓ１０）。この場合、発呼側との間でメディアセッションは確立されない。
【００２４】
以上の説明から明らかなように、本発明の実施の形態に係るＩＰファクシミリ装置（画像通信装置）１によれば、通話目的の間違い電話を着信した場合に、発呼側のＩＰ電話端末２０Ａ（又は電話機２０Ｂ）に所定の音声情報を送信することにより、発呼側ＩＰ電話端末２０Ａ等のユーザに音声通話をすることができない装置が着信した旨を知らせることができる。これにより、発呼側のユーザは、通信状態が悪い、相手先の電話機の調子がおかしいなどと思い込むような誤解をすることもなく、直ぐに電話を切ってかけ直すことができる。また、発呼側のユーザは、電話をかけ直す際に、間違い電話をかけたことに気付いているため、リダイヤル機能を利用して再度同じ電話番号に間違い電話をしてしまうことを防止することもできる。
【産業上の利用可能性】
【００２５】
本発明は、例えば、ＩＰ電話番号が割り当てられた、通話機能を持たないＩＰファクシミリ専用機に適用することができる。
【図面の簡単な説明】
【００２６】
【図１】本発明の実施の形態に係るＩＰファクシミリ装置（画像通信装置）の構成例、ネットワーク構成例等を示した図である。
【図２】本発明の実施の形態に係るＩＰファクシミリ装置（画像通信装置）が、メディアセッションの開始要求を受信した場合に、実行する処理動作を示したフローチャートである。
【図３】本発明の実施の形態に係るＩＰファクシミリ装置（画像通信装置）が、音声通話用のメディアセッションの開始要求を受信した場合に、発呼側との間で形成する通信手順を示したシーケンス図である。
【符号の説明】
【００２７】
１    ＩＰファクシミリ装置（画像通信装置）
２    ＣＰＵ
３    ＲＯＭ
４    ＲＡＭ
２０Ａ    ＩＰ電話端末（発呼側）
２０Ｂ    電話機（発呼側）
２１    ＩＰファクシミリ装置（発呼側）
【図１】
2006324835.tif 000003
【図２】
2006324835.tif 000004
【図３】
2006324835.tif 000005